(57)【特許請求の範囲】
【請求項１】
上着本体の前身頃及び後身頃のそれぞれに、浮力材を備え、前記上着本体を身体に保持するためのベルトを備えた浮力材付き釣り用上着であって、
前記ベルトを前記前身頃及び前記後身頃の裏面側に保持するための保持部を備え、前記ベルトを締め付けたときに該ベルトは前記保持部で保持されつつ前記前身頃及び前記後身頃の裏面側から離間して身体側へ寄るように構成され、
前記保持部は、帯状部材又は紐状部材の上下端を前記前身頃及び前記後身頃の裏面に縫い付けて前記ベルトを挿通可能なループに構成されたものからなり、前記ループは、前記前身頃及び前記後身頃の裏面側に突出する円弧形状に構成され、しかも、前記保持部に対して前記ベルトが上着本体の裏面側へ移動する移動範囲が上下方向へ移動する移動範囲よりも大きくなるように前記ループの曲率半径を設定することにより、前記ベルトが身体に強固に締め付けられたときに該ベルトが前記前身頃及び前記後身頃の裏面側から離間して該ベルトと該前身頃及び該後身頃との間に隙間を形成することができる融通部を備えていることを特徴とする浮力材付き釣り用上着。
【請求項２】
前記帯状部材又は紐状部材の上下端が、前記前身頃の内面及び前記後身頃の内面のそれぞれに縫着される上下一対の補強用帯状部材で覆われ、その覆われた部分を縫着することによって前記帯状部材又は紐状部材が前記前身頃及び前記後身頃に固定されることを特徴とする請求項１に記載の浮力材付き釣り用上着。
【請求項３】
前記前身頃が、左前身頃と右前身頃とからなり、前記保持部が該左前身頃及び該右前身頃の浮力材幅方向中央部分に備えていることを特徴とする請求項１又は２に記載の浮力材付き釣り用上着。
【請求項４】
前記後身頃の幅方向中央部に備えた保持部に、前記ベルトが固定されていることを特徴とする請求項１〜３のいずれか１項に記載の浮力材付き釣り用上着。
【発明の詳細な説明】
【技術分野】
【０００１】
本発明は、例えばフローティングベストと称される浮力材が内装された浮力材付き釣り用上着に関し、より詳しくは、上着本体の前身頃及び後身頃のそれぞれに、浮力材を備え、前記上着本体を身体に保持するためのベルトを備えた浮力材付き釣り用上着に関する。
【背景技術】
【０００２】
この種のフローティングベストは、上着本体を構成する左右の前身頃及び後身頃内に、ＰＶＣ、ＰＥ、ＥＶＡ等からなる板状の浮力材をそれぞれ備えて、落水時に身体を水面から浮かせることができるようにしている。
【０００３】
そして、落水時に上着本体が身体から脱げないように、上着本体を身体に保持するためのベルトを備えたものが提案されている。
【０００４】
第１のものとしては、上着本体の左右の腕挿通口の周辺に、腕の下側を支持するベルトが取り付けられるとともに、上着本体の後側の下側に両足を挿通可能な左右一対のループ状の股ベルトが取り付けられた救命胴衣である（例えば、特許文献１参照）。
【０００５】
また、第２のものとしては、後身頃の外面にベルトの中央部が固定され、そのベルトを前身頃の前で締め付けることにより上着本体を身体に押し付けるように構成した救命胴衣である。（例えば、特許文献２参照）。
【先行技術文献】
【特許文献】
【０００６】
【特許文献１】特開２００９−１３２３３９号公報（図１参照）
【特許文献２】登録実用新案第３００９４２３号公報（図１参照）
【発明の概要】
【発明が解決しようとする課題】
【０００７】
特許文献１の構成によれば、腕の下側を支持するベルトを締め付けると、腕の下側部分の左右の前身頃が身体側に密着させられ、それらの部分において動き難いだけでなく、着心地が悪いという不都合があった。
【０００８】
また、特許文献２の構成によれば、ベルトを締め付けていくと、上着本体が身体に密着されて一体化した状態になるため、動き難いだけでなく、着心地が悪いという不都合もあり、改善の余地があった。
【０００９】
本発明が前述の状況に鑑み、解決しようとするところは、動き難いことや着心地が悪いといった不都合を解消することができる浮力材付き釣り用上着を提供する。
【課題を解決するための手段】
【００１０】
本発明の浮力材付き釣り用上着は、前述の課題解決のために、上着本体の前身頃及び後身頃のそれぞれに、浮力材を備え、前記上着本体を身体に保持するためのベルトを備えた浮力材付き釣り用上着であって、前記ベルトを前記前身頃及び前記後身頃の裏面側に保持するための保持部を備え、前記ベルトを締め付けたときに該ベルトは前記保持部で保持されつつ前記前身頃及び前記後身頃の裏面側から離間して身体側へ寄るように構成され、前記保持部は、帯状部材又は紐状部材の上下端を前記前身頃及び前記後身頃の裏面に縫い付けて前記ベルトを挿通可能なループに構成されたものからなり、前記ループは、前記前身頃及び前記後身頃の裏面側に突出する円弧形状に構成され、しかも、前記保持部に対して前記ベルトが上着本体の裏面側へ移動する移動範囲が上下方向へ移動する移動範囲よりも大きくなるように前記ループの曲率半径を設定することにより、前記ベルトが身体に強固に締め付けられたときに該ベルトが前記前身頃及び前記後身頃の裏面側から離間して該ベルトと該前身頃及び該後身頃との間に隙間を形成することができる融通部を備えていることを特徴としている。
【００１１】
上記構成によれば、ベルトを締め付けると、前身頃及び後身頃の裏面側から離間して身体側へ寄るから、身体にベルトを強固に締め付けることができる。そして、ベルトの締め付けに伴って前身頃及び後身頃が身体側に引き付けられて身体に密着することがなく、身体に対してゆとりを持たせて上着本体を装着することができる。従って、ベルトを身体に強固に固定することができるから、上着本体が脱げないだけでなく、上着本体と身体との間にゆとりを持たせることができるから、上着本体からの密着力を身体が受けることがない。このため、動き難いとか、着心地が悪いといったことがなく、上着本体を快適に着ることができる。
また、ベルトが強固に締め付けられたときに前身頃及び後身頃の裏面側から離間して身体の外側に密着されたベルトと前記前身頃及び前記後身頃との間に隙間を形成することができる融通部を備えているので、上着本体と身体との間にゆとりを確実に持たせることができる。
また、ループが、裏面側に突出する円弧形状に構成されているので、ベルトが上下方向に移動し難くできるだけでなく、ベルトの身体側への移動を大きくすることができ、前身頃及び後身頃とベルトとのゆとりを十分に確保することができる。
【００１２】
また、本発明の浮力材付き釣り用上着は、前記帯状部材又は紐状部材の上下端が、前記前身頃の内面及び前記後身頃の内面のそれぞれに縫着される上下一対の補強用帯状部材で覆われ、その覆われた部分を縫着することによって前記帯状部材又は紐状部材が前記前身頃及び前記後身頃に固定されていてもよい。
【００１４】
また、本発明の浮力材付き釣り用上着は、前記前身頃が、左前身頃と右前身頃とからなり、前記保持部が該左前身頃及び該右前身頃の浮力材幅方向中央部分に備えていてもよい。
【００１５】
上記のように、保持部が左前身頃及び右前身頃の浮力材幅方向中央部分に備えている場合には、ベルトを介して左前身頃及び右前身頃を支持する位置が最も安定よく支持できる位置になる。その結果、左前身頃及び右前身頃が不測に姿勢変更することなく左前身頃及び右前身頃を保持部にて安定して保持することができる。
【００１６】
また、本発明の浮力材付き釣り用上着は、前記後身頃の幅方向中央部に備えた保持部に、前記ベルトが固定されていてもよい。
【発明の効果】
【００１８】
ベルトを締め付けるだけで、ベルトを身体に強固に固定することができるから、ベルトの保持部を介して保持されている上着本体が身体から脱げることがない。また、保持部に対してベルトが身体側へ寄ることにより上着本体と身体との間にゆとりを持たせることができる。従って、動き難いことや着心地が悪いといった不都合を解消することができる浮力材付き釣り用上着を提供することができる。
【図面の簡単な説明】
【００１９】
【図１】本発明の浮力材付き釣り用上着を少し斜め上方から見た斜視図である。
【図２】図１で示した浮力材付き釣り用上着の左右の前身頃を横に開放して裏面側が見えるようにした少し下方から見た斜視図である。
【図３】身体とベルトと左右の前身頃と後身頃との関係を示す概略平面図である。
【図４】保持部とベルトとの関係を示す断面図である。
【発明を実施するための形態】
【００２０】
図１及び図２に、浮力材付き釣り用の上着の一例である袖なしの上着であるベストを示しているが、袖のある上着であってもよい。このベストは、例えばルアーフィッシングの釣りの際に装着されるフローティングベストとして使用しているが、その他の釣り（磯釣りや波止釣りや船釣り等）で使用してもよい。
【００２１】
ベストは、前身頃１と、この前身頃１の左右両端に連結される後身頃２とを有する上着本体を備えている。前身頃１は、左前身頃３と右前身頃４とを備え、その左前身頃３は、前方に位置するメインの左前身頃３Ａと、このメインの左前身頃３Ａの後端に連結され、メインの左前身頃３Ａよりも小さなサブの左前身頃３Ｂとを備えている。また、右前身頃４は、前方に位置するメインの右前身頃４Ａと、このメインの右前身頃４Ａの後端に連結され、メインの右前身頃４Ａよりも小さなサブの右前身頃４Ｂとを備えている。そして、４つの前身頃３Ａ，３Ｂ，４Ａ，４Ｂの内部に、浮力材５，６，７，８を備えている。これら左前身頃３及び右前身頃４の左右方向中心部側端に備えさせたベスト着脱用スライドファスナーＦを開閉操作することで身体にベストを着脱することができるようになっている。また、左前身頃３と右前身頃４とは、バックル９によって左右方向で連結することができるようになっている。バックル９は、左前身頃３に取り付けた雌部材９Ａと、この雌部材９Ａに内挿して係合されるべく右前身頃４に取り付けた雄部材９Ｂとを備えている。
【００２２】
また、メインの左前身頃３Ａの上側に第１ポケット１０を備え、下側に第１ポケット１０よりも大きな第２ポケット１１を備え、この第２ポケット１１の内部に浮力材１２を備えている。
【００２３】
また、メインの右前身頃４Ａの上側に第３ポケット１３を備え、下側に第３ポケット１３よりも大きな第４ポケット１４を備え、この第４ポケット１４の内部に浮力材１５を備えている。
【００２４】
後身頃２の内部には、前身頃１に備えた全ての浮力材５，６，７，８，１２，１５による浮力よりも浮力が小さく設定された５つの浮力材１６，１７，１８，１９，２０を備えている。尚、浮力材の個数は、図に示す５つに限定されるものではない。
【００２５】
また、左前身頃３の上端と後身頃２の左側上端を連結する左側肩部２１に浮力材２３を備えるとともに、右前身頃４の上端と後身頃２の右側上端とを連結する右側肩部２２の内部に浮力材２４を備えている。
【００２６】
図１及び図２に示すように、前身頃１と後身頃２を身体に保持するための１本のベルト２５を前身頃１及び後身頃２の裏面側に備えている。具体的には、ベルト２５を前身頃１及び後身頃２の裏面側に保持するための５つの保持部２６，２７，２８，２９，３０を備え、それら保持部２６，２７，２８，２９，３０のうちの後身頃２の幅方向中央部の保持部２８を除いた保持部２６，２７，２９，３０が、ベルト２５の締め付け時においてベルト２５を前身頃１及び後身頃２の裏面側から身体側に寄るように離間可能とする融通部を備えている。
【００２７】
保持部２６，２７，２９，３０が、帯状部材（紐状部材でもよい）の上下端を前身頃１及び後身頃２の裏面に縫い付けてベルト２５を挿通可能なループに構成されたものからなり、そのループを、裏面側（身体側）に突出する円弧形状に構成することによって、前記融通部を構成している。例えば、図４に示すように、保持部２６，３０のループを裏面側（身体側）に突出する円弧形状に構成することによって、ループ内に空間Ｋを形成することができる。この空間Ｋを形成することにより、ベルト２５を締め付けた時にベルト２５が矢印で示す上着本体の裏面側に大きく移動することができる。これは、保持部２６，３０に対してベルト２５の上着本体の裏面側の移動範囲が上下方向の移動範囲よりも大きくなるようにループの曲率半径を設定しているからである。従って、図３で示すように、身体（図示せず）の外側に密着されたベルト２５と前身頃１及び後身頃２との間にゆとりとなる隙間Ｓを形成することができる。従って、ベルト２５は身体に強固に締め付けられることにより前身頃１及び後身頃２が身体から脱げることを阻止しながらも、ベルト２５の締め付けに伴って前身頃１及び後身頃２が身体側に寄って密着されることがないから、動き難いとか、着心地が悪いといったことがない。また、ベルト２５の締め付け時に、保持部２６，３０に対してベルト２５がそれの長手方向に移動できるように融通を備えさせていることから、更にゆとりを持たせることができる。尚、説明しなかった残りの保持部２７，２９も、説明した保持部２６，３０と同様にループを上着本体の裏面側に突出する円弧形状に構成されている。
【００２８】
メインの右前身頃４Ａの裏面に逢着した保持部２６及びメインの左前身頃３Ａの裏面に縫着した保持部３０は、同一構成であり、その取付位置が、上下方向中央部分（お腹部分の位置）でかつ浮力材幅方向中央部分に設定している。このように、浮力材幅方向中央部分に保持部２６，３０を備えさせることによって、ベルト２５を介して左前身頃３及び右前身頃４を支持する位置が最も安定よく支持できる位置になり、好ましい。
【００２９】
保持部２６，３０は、ダブルラッセルメッシュ材でなる生地から構成され、クッション性を備えるとともに身体への感触が優れていて好ましいが、合成樹脂や布などの他の材料で構成してもよい。
【００３０】
また、他の２つの保持部２７，２９は、後身頃の上下方向中央部分でかつ左右両側に配置され、前記保持部２６，３０の幅よりも小さな幅を有する合成樹脂でなる縦長状の帯状部材に構成されている。これら保持部２７，２９は、合成樹脂で構成する他、ダブルラッセルメッシュ材や布などから構成することもできる。
【００３１】
また、残りの保持部２８は、前記保持部２７，２９と同一の構成であるが、ドット釦によりベルト２５を保持部２８に固定している。このドット釦は、ベルト側に設けられた雄型部材（図示せず）と、この雄型部材に係合するように保持部２８側に設けられた雌型部材３１とからなっているが、他の部材にて固定してもよいし、場合によっては、固定しないで他の保持部と同様に、ベルト２５を長さ方向に移動可能なループに構成してもよい。
【００３２】
また、メインの右前身頃４Ａの裏面に逢着した保持部２６及びメインの左前身頃３Ａの裏面に縫着した保持部３０は、図２および図４に示すように、各保持部の上下端部が右前身頃４Ａの内面に縫着された上下一対の補強用帯状部材３２，３３及び左前身頃３Ａの内面に縫着された上下一対の補強用帯状部材３４，３５で覆われ、その覆われた部分を縫着することにより固定されている。
【００３３】
また、残りの保持部２７，２８，２９も同様に、各保持部の上下端部が後身頃２の内面に縫着された上下一対の補強用帯状部材３６，３７で覆われ、その覆われた部分を縫着することにより固定されている。
【００３４】
図２に示すように、ベルト２５の一端には、雄部材３８Ａが備えられ、他端には、雄部材３８Ａを挿入して係合可能な雌部材３８Ｂが備えられて、係合解除自在なバックルを構成している。従って、衣服本体を身体に着てからベルト２５の雄部材３８Ａを雌部材３８Ｂに挿入することにより両者が係合してベルト２５を身体に装着することができる。また、ベルト２５の雄部材３８Ａ側近傍に、ベルト２５の長さを調節するための長さ調節具Ｇを備えており、身体の胴回りのサイズに応じてベルト２５の長さを調節することができる。また、ベルト２５の雌部材３８Ｂ側近傍にも、同じようにベルト２５の長さを調節するための長さ調節具（図示せず）を備えており、ベルト２５の両サイドでベルト２５の長さを調節することができるようになっている。
【００３５】
メインの右前身頃４Ａの裏面の生地、メインの左前身頃３Ａの裏面の生地、後身頃２の裏面の生地は、下端よりも少し上方の位置から上端までの範囲に渡る上下方向に長尺な第１生地４ａ、３ａ、２ａと、下端から少し上方の位置までの範囲に渡り、かつ、第１生地４ａ、３ａ、２ａの下部と一部重複するように該第１生地の下端４ｃ，３ｃ，２ｃよりも上方に位置する上端４ｄ，３ｄ，２ｄを有する上下方向に短尺な第２生地４ｂ、３ｂ、２ｂとを備え、第１生地４ａ、３ａ、２ａと第２生地４ｂ、３ｂ、２ｂとをそれらの重複部分に備えた複数のドット釦４２，４３，４４により連結している。従って、ドット釦４２，４３，４４の係合を解除することにより、第１生地４ａ、３ａ、２ａと第２生地４ｂ、３ｂ、２ｂとの間を開口させて浮力材７，５，１７，１８，１９をメインの右前身頃４Ａ、メインの左前身頃３Ａ、後身頃２の下側から取り出すことができるようになっている。説明はしないが、サブの左前身頃３Ｂ及びサブの右前身頃４Ｂも同様に浮力材を取り出すことができる構成になっている。
【００３６】
尚、本発明は、上記実施形態に限定されるものではなく、本発明の要旨を逸脱しない範囲で種々の変更が可能である。
【００３７】
前記実施形態では、一本のベルト２５を用いたが、２本のベルトを用いて実施することもできる。この場合、後身頃２に２本のベルトの一端を固定又は連結し、他端にバックルを備えさせて実施することになる。
【００３９】
また、前記実施形態では、保持部が左前身頃及び右前身頃の浮力材幅方向中央部分に備えられているが、浮力材幅方向両側の少なくとも一方に備えさせて実施することもできる。
【００４０】
また、前記実施形態では、ベルト２５を用いて上着本体が身体から脱げないように保持したが、股ベルトを上着本体に備えさせて上着本体が身体から脱げることを確実に阻止するようにしてもよい。
【符号の説明】
【００４１】
１…前身頃、２…後身頃、３…左前身頃、３Ａ…メインの左前身頃、３Ｂ…サブの左前身頃、４…右前身頃、４Ａ…メインの右前身頃、４Ｂ…サブの右前身頃、４ａ，４ｂ…生地、５，６，７，８，１２，１５，１６，１７，１８，１９，２０…浮力材、９…バックル、９Ａ…雌部材、９Ｂ…雄部材、１０，１１，１３，１４…ポケット、２１，２２…肩部、２３，２４…浮力材、２５…ベルト、２６，２７，２８，２９，３０…保持部、３１…雌型部材、３２，３３，３４，３５，３６，３７…補強用帯状部材、３８Ａ…雄部材、３８Ｂ…雌部材、４２，４３，４４…ドット釦、Ｆ…ベスト着脱用スライドファスナー、Ｇ…調節具、Ｋ…空間、Ｓ…隙間
【図１】
0005572401.tif 000002
【図２】
0005572401.tif 000003
【図３】
0005572401.tif 000004
【図４】
0005572401.tif 000005